(57)【要約】  【課題】  樹脂パイプを容易かつ確実に接続することができる樹脂パイプ用継手を提供すること。  【解決手段】  外筒体１０と内筒体１１との間に挿入された樹脂パイプ６ａが、この樹脂パイプ６ａの外側に配置されたリング体１３と前記内筒体１１とで挟まれ、かつ、樹脂パイプ６ａに爪２３が食い込んだ状態となる前記リング体１３が前記外筒体１０に螺着されるナット部材１２によって保持され、また、前記外筒体１０に設けられた貫通孔１４内に収容されたインジケータ１５の一部が、外筒体１０の内側の所定位置にまで挿入された樹脂パイプ６ａにより貫通孔１４の外側に押し出されるように構成された樹脂パイプ用継手９であって、前記内筒体１１にその一端側から順に接続部１１ａとフランジ部１１ｃとを設けると共に、このフランジ部１１ｃの外径よりも小さい内径を有する狭小部分２１を外筒体１０に設けることにより、前記接続部１１ａで接続された状態の内筒体１１が、外筒体１０を軸まわりに回転可能な状態で保持するように構成されている。  【選択図】  図２
2006291991.tif 000002
【特許請求の範囲】
【請求項１】
外筒体と内筒体との間に挿入された樹脂パイプが、この樹脂パイプの外側に配置されたリング体と前記内筒体とで挟まれ、かつ、樹脂パイプに爪が食い込んだ状態となる前記リング体が前記外筒体に螺着されるナット部材によって保持され、また、前記外筒体に設けられた貫通孔内に収容されたインジケータの一部が、外筒体の内側の所定位置にまで挿入された樹脂パイプにより貫通孔の外側に押し出されるように構成された樹脂パイプ用継手であって、前記内筒体にその一端側から順に接続部とフランジ部とを設けると共に、このフランジ部の外径よりも小さい内径を有する狭小部分を外筒体に設けることにより、前記接続部で接続された状態の内筒体が、外筒体を軸まわりに回転可能な状態で保持するように構成されていることを特徴とする樹脂パイプ用継手。
【発明の詳細な説明】
【技術分野】
【０００１】
この発明は、樹脂パイプ用継手に関する。
【背景技術】
【０００２】
現在、図３に示すような給水・給湯配管システムが広く用いられている。すなわち、このシステムでは、屋内に引き込んだ給水主管１、給湯主管２の下流側にそれぞれ配管ヘッダー３を設け、各配管ヘッダー３に接続した複数の供給管４を介して、洗面所や風呂場等にある水栓（図示例では洗面所にある湯水混合栓）５に給水、給湯を行う。ここで、前記供給管４は、透明または半透明の樹脂パイプ６ａ（例えば水道用ポリブテン管または水道用架橋ポリエチレン管）を鞘管６ｂで覆って保護してなるもので、バンドやクランプ等の固定手段７によって適宜に固定されている。また、前記給湯主管２の上流側には、給湯主管２内を流れる湯を適温とするための給湯設備８が設けられている。
【０００３】
そして、前記配管ヘッダー３に対して供給管４を接続するために、従来より、図４に示すような継手７０が用いられてきた。この継手７０では、外筒体７１と内筒体７２との間に樹脂パイプ６ａを挿入した後、ナット部材７３を前記外筒体７１に螺着すると、この螺着に伴ってナット部材７３の内側に配置されたリング体７４の爪７４ａが樹脂パイプ６ａに食い込み、樹脂パイプ６ａが継手７０から抜けなくなる。
【０００４】
また、上記のように樹脂パイプ６ａが接続される継手７０では、前記外筒体７１に設けられた貫通孔７１ａ内に収容されたインジケータ７５の一部が、外筒体７１の内側の所定位置にまで挿入された樹脂パイプ６ａにより貫通孔７１ａの外側に押し出されるように構成されている。従って、前記インジケータ７５によって継手７０の外筒体７１に対する樹脂パイプ６ａの挿入深さを確認することができるので、樹脂パイプ６ａが外筒体７１に対して浅く挿入された状態で接続され接続不良が生じるのを防止することができる。
【特許文献１】特開２００２−１４７６８０号公報
【特許文献２】第２９７５０１９号特許公報
【発明の開示】
【発明が解決しようとする課題】
【０００５】
ところが、上記従来の継手７０には以下のような問題があった。すなわち、前記継手７０は、外筒体７１と内筒体７２とを一体的に備えた継手本体７６を用いて構成されていた。そして、配管ヘッダー３に対する継手７０の接続時には、前記継手本体７６の一端側に設けられた雄ねじ部７７が配管ヘッダー３の雌ねじ部７８に螺着され、また、この螺着部分に接着剤が塗布されていた。そのため、継手本体７６を配管ヘッダー３に接続したときに、外筒体７１の向きにばらつきが生じることがあり、この場合、配管ヘッダー３の見栄えが悪くなる上、樹脂パイプ６ａの接続作業時にインジケータ７５が確認し難い位置にあると樹脂パイプ６ａの接続不良につながるおそれもあった。
【０００６】
さらに、上記従来の継手７０では、外筒体７１にナット部材７３を螺着すると、前記螺着部分に塗布した接着剤が剥がれて継手本体７６が共回りしてしまい、配管ヘッダー３に対する継手７０の接続が解除されてしまうおそれもあった。
【０００７】
この発明は、上述の事柄に留意してなされたもので、その目的は、樹脂パイプを容易かつ確実に接続することができる樹脂パイプ用継手を提供することである。
【課題を解決するための手段】
【０００８】
上記目的を達成するために、この発明の樹脂パイプ用継手は、外筒体と内筒体との間に挿入された樹脂パイプが、この樹脂パイプの外側に配置されたリング体と前記内筒体とで挟まれ、かつ、樹脂パイプに爪が食い込んだ状態となる前記リング体が前記外筒体に螺着されるナット部材によって保持され、また、前記外筒体に設けられた貫通孔内に収容されたインジケータの一部が、外筒体の内側の所定位置にまで挿入された樹脂パイプにより貫通孔の外側に押し出されるように構成された樹脂パイプ用継手であって、前記内筒体にその一端側から順に接続部とフランジ部とを設けると共に、このフランジ部の外径よりも小さい内径を有する狭小部分を外筒体に設けることにより、前記接続部で接続された状態の内筒体が、外筒体を軸まわりに回転可能な状態で保持するように構成されていることを特徴としている（請求項１）。
【発明の効果】
【０００９】
請求項１に係る発明では、インジケータが収容される貫通孔を備えた外筒体は軸まわりに回転可能となっているので、外筒体を回転させて適宜の位置で止めることにより、樹脂パイプの接続作業時に前記インジケータの状態の確認を容易に行え、従って、樹脂パイプを容易かつ確実に接続することができ、作業性の面で向上を図ることのできる樹脂パイプ用継手が得られる。また、この樹脂パイプ用継手では、外筒体は内筒体から独立して回転するので、外筒体にナット部材を螺着するときに、外筒体が回転しても、内筒体が共回りすることはなく、そのため、上記共回りの力が前記接続部に伝達し、接続部で接続された状態の内筒体が接続対象から外れ、漏水が生じるということもない。
【００１０】
さらに、前記樹脂パイプ用継手が例えば配管ヘッダーに設けられ、複数並べられている場合、各継手の外筒体の向きを揃えることにより、それらの見栄えが良くなり、上記インジケータの確認も同一方向から見ることで行え、その確認作業がより容易となるという効果も得られる。その上、従来の樹脂パイプ用継手では、外筒体と内筒体とを一体的に有する継手本体を用いていたのに対し、この発明の樹脂パイプ用継手では、外筒体と内筒体とを別体としているので、加工し易く、製造コストの低減を図ることも可能となる。
【発明を実施するための最良の形態】
【００１１】
図１（Ａ）および（Ｂ）は、本発明の一実施の形態に係る樹脂パイプ用継手（以下、継手という）９を用いた継手構造の構成を概略的に示す平面図および縦断面図、図２は前記継手構造の要部の構成を概略的に示す縦断面図である。なお、図３に示した部材等と同一または同等のものについては、同じ符号を付しその説明を省略する。
【００１２】
図１（Ａ）および（Ｂ）に示すように、継手９は一つの配管ヘッダー３の側面に複数接続され、各継手９は、図２に示すように、外筒体１０と、この外筒体１０の内側に配置される内筒体１１と、前記外筒体１０の雄ねじ１０ａに螺着するナット部材（袋ナット）１２と、このナット部材１２の内側に保持されるリング体１３とを備えている。
【００１３】
以下、図２を参照しながら、継手９を構成する各部材について説明する。
【００１４】
前記外筒体１０は、先端側（図２では上側）に雄ねじ１０ａを有し、また、後端側（図２では下側）に他の部分より外径が大きい六角部１０ｂを有している。さらに、外筒体１０の雄ねじ１０ａと六角部１０ｂとの間の部分に複数（例えば二つ）の貫通孔１４が設けられ、各貫通孔１４内にインジケータ１５が収容されている。
【００１５】
ここで、前記貫通孔１４は、外筒体１０と内筒体１１との間に形成される環状溝１６を外筒体１０の外側の空間に連通させるように設けられている。一方、前記インジケータ１５は、例えばゴム等の軟質の樹脂に蛍光材料を混合してなる材料によって形成され、前記貫通孔１４内に嵌まり込む大きさを有する円柱形状の中央部１７と、この中央部１７の一端側に設けられたテーパ部１８と、他端側に設けられたほぼ半球状の頭部１９とを備えている。また、インジケータ１５の中央部１７には、前記貫通孔１４を形成する貫通孔壁に当接する複数（この実施形態では三つ）の突起部２０が設けられており、各突起部２０は、中央部１７の軸と平行に延びている。
【００１６】
さらに、前記六角部１０ｂの内側には、内径が他の部分よりも小さい狭小部分２１が設けられている。
【００１７】
前記内筒体１１は、後端側（図２では下側）から順に、接続部としての雄ねじ１１ａと、環状溝１１ｂと、フランジ部１１ｃとを有し、前記環状溝１１ｂにはシール部材としてのＯリング２２が着脱自在に嵌め込まれている。また、前記フランジ部１１ｃの外径は、外筒体１０の狭小部分２１の内径よりも大きくなっている。
【００１８】
前記ナット部材１２は、後端側（図２では下側）に外筒体１０の雄ねじ１０ａに螺着する雌ねじ１２ａを有し、先端側（図２では上側）の内壁にテーパ部１２ｂが設けられ、先端側ほど小径となっている。
【００１９】
前記リング体１３は例えばステンレス製の割りリングであり、前記樹脂パイプ６ａ（図３参照）の外側に配置される。そして、このリング体１３の外周面の一端側および他端側には、テーパ面部１３ａおよび１３ｂが設けられている。また、リング体１３の内周面の上下２か所に環状の爪２３が形成されている。
【００２０】
上記の構成からなる継手構造は、工場出荷の段階では、図２に示すように、樹脂パイプ６ａが環状溝１６内に差し込まれていない状態にあり、このとき、前記インジケータ１５は、貫通孔１４外に突出せずに貫通孔１４の内部に収まっている。そして、インジケータ１５が貫通孔１４の外に出ることは、インジケータ１５の中央部１７に設けられ突起部２０と貫通孔１４を形成する貫通孔壁との摩擦によって確実に制止されている。
【００２１】
そして、施工現場では、まず、内筒体１１の雄ねじ１１ａまたは配管ヘッダー３の雌ねじ３ａに接着剤を塗布し、両者１１ａ，３ａを螺着する。このとき、内筒体１１のフランジ部１１ｃよりも後端側の部分が外筒体１０の狭小部分２１を挿通する状態としておく。そのため、前記雄ねじ（接続部）１１ａで接続された状態の内筒体１１が、外筒体１０を軸まわりに回転可能な状態で保持することとなる。
【００２２】
続いて、樹脂パイプ６ａを外筒体１０と内筒体１１との間に挿入し、外筒体１０の雄ねじ１０ａにナット部材１２を螺着する。これにより、外筒体１０と内筒体１１との間に挿入された樹脂パイプ６ａが、前記リング体１３と内筒体１１とで挟まれ、かつ、樹脂パイプ６ａに爪２３が食い込んだ状態となる前記リング体１３がナット部材１２によって保持されることとなる。
【００２３】
詳しくは、上述したように、ナット部材１２の先端にはリング体１３のテーパ面部１３ａに当接するテーパ部１２ｂが設けられており、また、外筒体１０の先端にはリング体１３のテーパ面部１３ｂに当接するテーパ部２４が設けられている。従って、ナット部材１２の前記螺着に伴い、ナット部材１２と外筒体１０とにより割りリングからなるリング体１３が締め付けられ、リング体１３が縮径変形する。そして、この締め付けに伴ってリング体１３の爪２３が樹脂パイプ６ａに食い込むように構成されており、これにより、樹脂パイプ６ａと継手９との接続が完了する。
【００２４】
ここで、前記環状溝１６内に樹脂パイプ６ａを差し込むときに、樹脂パイプ６ａの差し込みが浅くなると樹脂パイプ６ａと継手９との接続が不良となるおそれがあるが、前記インジケータ１５を利用すればこのような不都合が生じない。すなわち、前記インジケータ１５は、樹脂パイプ６ａが外筒体１０の内側（環状溝１６内）の所定の位置にまで挿入されたときに、挿入された樹脂パイプ６ａの先端部の当接によって、その一部が貫通孔１４の外側に押し出されるように構成されている。そのため、インジケータ１５の押し出しを手掛かりとすることで、樹脂パイプ６ａの差し込みが浅くなることを確実に防止することができる。また、前記インジケータ１５は蛍光材料を含み、暗い場所等でも視認することができるので、暗所でもインジケータ１５の位置や継手９の状態等を容易に把握することができる。
【００２５】
しかも、インジケータ１５が収容される貫通孔１４を備えた外筒体１０は軸まわりに回転可能となっているので、外筒体１０を回転させて適宜の位置で止めることにより、前記インジケータ１５の状態の確認を容易にかつ確実に行うことができる。また、外筒体１０は内筒体１１から独立して回転するので、外筒体１０にナット部材１２を螺着するときに、外筒体１０が回転しても、内筒体１１が共回りすることはなく、従って、共回りによって、内筒体１１の雄ねじ１１ａと配管ヘッダー３の雌ねじ３ａとの間に塗布された接着剤が剥がれ、配管ヘッダー３に対する内筒体１１の接続が解除されてしまうということもない。
【００２６】
なお、上記実施の形態において、インジケータ１５を構成する樹脂に蛍光材料を混合しているが、このような構成に代えて、例えば、インジケータ１５を構成する樹脂の表面に蛍光材料を塗布してもよい。すなわち、インジケータ１５は、表面に蛍光材料を有していればよい。
【００２７】
また、上記実施の形態では、インジケータ１５を一体型としているが、例えば、前記頭部１９と中央部１７およびテーパ部１８とを分離しておき、環状溝１６に樹脂パイプ６ａを挿入したときに、頭部１９が貫通孔１４内から飛び出して落下するように構成してもよい。この場合、頭部１９の外周面にも貫通孔１４を形成する貫通孔壁に当接する突起部を設けておくことが好ましい。
【図面の簡単な説明】
【００２８】
【図１】（Ａ）および（Ｂ）は、本発明の一実施の形態に係る樹脂パイプ用継手を用いた継手構造の構成を概略的に示す平面図および縦断面図である。
【図２】上記継手構造の要部の構成を概略的に示す縦断面図である。
【図３】前記樹脂パイプ用継手が用いられる給水・給湯配管システムの構成を概略的に示す説明図である。
【図４】従来の樹脂パイプ用継手の構成を概略的に示す縦断面図である。
【符号の説明】
【００２９】
６ａ    樹脂パイプ
９      樹脂パイプ用継手
１０      外筒体
１１      内筒体
１１ａ    接続部
１１ｃ    フランジ部
１２      ナット部材
１３      リング体
１４      貫通孔
１５      インジケータ
２１      狭小部分
２３      爪
【図１】
2006291991.tif 000003
【図２】
2006291991.tif 000004
【図３】
2006291991.tif 000005
【図４】
2006291991.tif 000006